(57)【要約】【課題】より高い利便性を有する受信装置、送信装置、及び送受信システムを提供する。【解決手段】一実施形態に係る送信装置は、ＭＨＬ規格に基づくＭＨＬケーブルにより接続された受信装置にストリームを送信する送信装置であって、文字を入力する為の文字入力欄を含む表示画面を生成するブラウザ部と、前記表示画面に基づいてストリームを生成し、生成した前記ストリームを前記受信装置に対して出力するストリーム出力部と、前記受信装置から制御信号を受け取る制御信号受信部と、前記制御信号により文字入力欄が選択された場合、前記制御信号に基づいて文字列を生成する文字入力部と、を具備する。【選択図】図５
2015029209.tif 000002
【特許請求の範囲】
【請求項１】
ＭＨＬ規格に基づくＭＨＬケーブルにより接続された受信装置にストリームを送信する送信装置であって、
文字を入力する為の文字入力欄を含む表示画面を生成するブラウザ部と、
前記表示画面に基づいてストリームを生成し、生成した前記ストリームを前記受信装置に対して出力するストリーム出力部と、
前記受信装置から制御信号を受け取る制御信号受信部と、
前記制御信号により文字入力欄が選択された場合、前記制御信号に基づいて文字列を生成する文字入力部と、
を具備する送信装置。
【請求項２】
前記文字入力部は、前記制御信号により文字入力欄が選択された場合、前記受信装置の文字入力機能を起動させる請求項１に記載の送信装置。
【請求項３】
前記文字入力部は、前記制御信号により文字入力欄が選択された場合、文字を入力する為の文字入力画面を前記表示画面に重畳させる請求項１に記載の送信装置。
【請求項４】
前記文字入力部は、前記受信装置の種類に応じて予め設定された複数の文字入力画面を備え、前記制御信号により文字入力欄が選択された場合、前記受信装置に応じた文字入力画面を前記表示画面に重畳させる請求項３に記載の送信装置。
【請求項５】
ＭＨＬ規格に基づくＭＨＬケーブルにより接続された送信装置から送信されたストリームを受信する受信装置であって、
前記送信装置から送信されたストリームを受信するストリーム受信部と、
前記ストリームを再生するストリーム再生部と、
操作入力に基づいて制御信号を生成する制御信号生成部と、
前記制御信号を前記送信装置に送信する制御信号送信部と、
前記送信装置で前記制御信号により文字入力欄が選択された場合、操作に基づいて文字列を生成し、生成した文字列を前記制御信号として前記送信装置に送信する文字入力部と、
を具備する受信装置。
【請求項６】
ストリームを送信する送信装置と、ＭＨＬ規格に基づくＭＨＬケーブルにより接続された前記送信装置から送信されたストリームを受信する受信装置と、を有する送受信システムであって、
前記送信装置は、
文字を入力する為の文字入力欄を含む表示画面を生成するブラウザ部と、
前記表示画面に基づいてストリームを生成し、生成した前記ストリームを前記受信装置に対して出力するストリーム出力部と、
前記受信装置から制御信号を受け取る制御信号受信部と、
前記制御信号により文字入力欄が選択された場合、前記制御信号に基づいて第１の文字列を生成する文字入力部と、
を具備し、
前記受信装置は、
前記送信装置から送信されたストリームを受信するストリーム受信部と、
前記ストリームを再生するストリーム再生部と、
操作入力に基づいて制御信号を生成する制御信号生成部と、
前記制御信号を前記送信装置に送信する制御信号送信部と、
前記送信装置で前記制御信号により文字入力欄が選択された場合、操作に基づいて文字列を生成し、生成した文字列を前記制御信号として前記送信装置に送信する第２の文字入力部と、
を具備する送受信システム。
【発明の詳細な説明】
【技術分野】
【０００１】
本発明の実施形態は、受信装置、送信装置、及び送受信システムに関する。
【背景技術】
【０００２】
従来、映画、テレビ番組、またはゲームなどの映像コンテンツ（ストリーム）を記録（録画）、及び再生することができる電子機器が一般的に普及している。
【０００３】
また、ＨＤＭＩ（High Definition Multimedia Interface）（登録商標）、及びＭＨＬ（Mobile High-definition Link）（登録商標）などのストリームを伝送する為の規格に対応した電子機器が一般的に普及している。
【０００４】
ストリームを出力する側の電子機器（ソース機器）は、ストリームを受信する側の電子機器（シンク機器）に対してストリームを出力する。シンク機器は、受信したストリームを再生し、再生した映像をディスプレイに表示させる。また、ソース機器及びシンク機器は、互いにＭＨＬにより接続されている場合、相互的に相手の機器を操作及び制御することができる。
【先行技術文献】
【特許文献】
【０００５】
【特許文献１】特開２００９−２３９２８６号公報
【発明の概要】
【発明が解決しようとする課題】
【０００６】
例えば、文字入力機能を備えるソース機器がある。しかし、シンク機器からソース機器を制御する場合に、シンク機器の操作手段がソース機器の操作手段に対応していない為にソース機器の文字入力機能を制御することができない場合があるという課題がある。
【０００７】
本発明の目的は、より高い利便性を有する受信装置、送信装置、及び送受信システムを提供することである。
【課題を解決するための手段】
【０００８】
一実施形態に係る送信装置は、ＭＨＬ規格に基づくＭＨＬケーブルにより接続された受信装置にストリームを送信する送信装置であって、文字を入力する為の文字入力欄を含む表示画面を生成するブラウザ部と、前記表示画面に基づいてストリームを生成し、生成した前記ストリームを前記受信装置に対して出力するストリーム出力部と、前記受信装置から制御信号を受け取る制御信号受信部と、前記制御信号により文字入力欄が選択された場合、前記制御信号に基づいて文字列を生成する文字入力部と、を具備する。
【図面の簡単な説明】
【０００９】
【図１】図１は、一実施形態に係る送受信システムについて説明する為の図である。
【図２】図２は、一実施形態に係る送受信システムについて説明する為の図である。
【図３】図３は、一実施形態に係る送受信システムについて説明する為の図である。
【図４】図４は、一実施形態に係る送受信システムについて説明する為の図である。
【図５】図５は、一実施形態に係る送受信システムについて説明する為の図である。
【図６】図６は、一実施形態に係る送受信システムについて説明する為の図である。
【図７】図７は、一実施形態に係る送受信システムについて説明する為の図である。
【図８】図８は、一実施形態に係る送受信システムについて説明する為の図である。
【発明を実施するための形態】
【００１０】
以下、図を参照しながら、一実施形態に係る受信装置、送信装置、及び送受信システムについて詳細に説明する。
【００１１】
図１は、複数の電子機器により構成される送受信システム１の例を示す。送受信システム１は、例えば、映像処理装置１００、携帯端末２００、及び無線通信端末３００などを有する。
【００１２】
映像処理装置１００は、例えば、放送信号、または記憶媒体に記憶されている映像コンテンツなどを再生することができる放送受信装置などの電子機器である。映像処理装置１００は、リモートコントローラ１６３と無線通信することができる。
【００１３】
携帯端末２００は、ディスプレイ、操作部、及び通信部を備える電子機器である。携帯端末２００は、例えば、携帯電話端末、タブレット型ＰＣ、携帯音楽プレイヤー、ゲーム機、ＤＶＤ(Digital Versatile Disc)レコーダ、セットトップボックス、または他の電子機器である。
【００１４】
無線通信端末３００は、映像処理装置１００及び携帯端末２００と無線または有線で通信することができる。即ち、無線通信端末３００は、無線通信のアクセスポイントとして機能する。また、無線通信端末３００は、外部のクラウドサービスなどのネットワーク４００に接続することができる。即ち、無線通信端末３００は、映像処理装置１００または携帯端末２００からのリクエストに応じてネットワーク４００にアクセスすることができる。これにより、映像処理装置１００及び携帯端末２００は、無線通信端末３００を介してネットワーク４００上のサーバから種々のデータを取得することができる。
【００１５】
また、映像処理装置１００は、携帯端末２００とＭＨＬに対応した通信ケーブル（ＭＨＬケーブル）により接続されている。ＭＨＬケーブルは、一方にＨＤＭＩ規格に対応した形状の端子（ＨＤＭＩ端子）を有し、他方にＵＳＢ規格（例えばｍｉｃｒｏ  ＵＳＢ）に対応した形状の端子（ＵＳＢ端子）を有するケーブルである。
【００１６】
ＭＨＬは、映像及び音声を含む動画データ（ストリーム）を伝送することができるインタフェース規格である。ＭＨＬでは、ストリームを出力する側の電子機器（ソース機器）が、ストリームを受信する側の電子機器（シンク機器）に対してＭＨＬケーブルによりストリームを出力する。シンク機器は、受信したストリームを再生し、再生した映像をディスプレイに表示させることができる。また、ソース機器及びシンク機は、ＭＨＬケーブルで接続された機器にコマンドを送信することにより、相手の機器を操作及び制御することができる。
【００１７】
図２は、一実施形態に係る映像処理装置１００の例を示す。  
映像処理装置１００は、例えば、放送信号、または記憶媒体に記憶されている映像コンテンツなどを再生することができる放送受信装置、またはレコーダなどの電子機器である。
【００１８】
映像処理装置１００は、チューナ１１１、復調部１１２、信号処理部１１３、音声処理部１２１、映像処理部１３１、表示処理部１３３、制御部１５０、ストレージ１６０、操作入力部１６１、受光部１６２、ＬＡＮインターフェース１７１、及び有線通信部１７３を備える。また、映像処理装置１００は、さらにスピーカ１２２及びディスプレイ１３４を備える。
【００１９】
チューナ１１１は、例えばアンテナ１０１により受信されたディジタル放送信号を受け取ることができる。アンテナ１０１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。チューナ１１１は、上記したディジタル放送信号により供給される番組などのコンテンツのデータ（ストリーム）を受け取ることができる。
【００２０】
チューナ１１１は、ディジタル放送信号用のチューナである。チューナ１１１は、受け取ったディジタル放送信号のチューニング（選局）を行う。チューナ１１１は、チューニングしたディジタル放送信号を復調部１１２に送信する。なお、映像処理装置１００は、複数のチューナ１１１を備えていてもよい。映像処理装置１００は、複数のチューナにより複数の放送信号を同時に選局することができる。
【００２１】
復調部１１２は、受信したディジタル放送信号を復調する。これにより、復調部１１２は、ディジタル放送信号からトランスポートストリーム（ＴＳ）などの動画データ（以下ストリームと称する）を取得する。復調部１１２は、取得したストリームを信号処理部１１３に入力する。なお、映像処理装置１００は、複数の復調部１１２を備えていてもよい。複数の復調部１１２は、複数のチューナ１１１により選局された複数の信号をそれぞれ復調することができる。
【００２２】
上記のように、アンテナ１０１、チューナ１１１、及び復調部１１２は、ストリームを受信する受信手段として機能する。
【００２３】
信号処理部１１３は、ストリームの分離などの信号処理を行う。即ち、信号処理部１１３は、ストリームをディジタル映像信号、ディジタル音声信号、及びその他のデータ信号に分離する。なお、信号処理部１１３は、複数の復調部１１２により復調された複数のストリームを分離することができる。信号処理部１１３は、音声処理部１２１にディジタル音声信号を供給する。また、信号処理部１１３は、映像処理部１３１にディジタル映像信号を供給する。さらに、信号処理部１１３は、制御部１５０にデータ信号を供給する。
【００２４】
また、信号処理部１１３は、制御部１５０の制御に基づいて、上記のストリームを録画可能な状態のデータ（録画ストリーム）に変換することができる。信号処理部１１３は、制御部１５０の制御に基づいて、録画ストリームをストレージ１６０または他のモジュールに供給することができる。
【００２５】
またさらに、信号処理部１１３は、ストリームのビットレートをオリジナルのビットレートから他のビットレートに変換（トランスコード）することができる。即ち、信号処理部１１３は、放送信号などに基づいて取得したオリジナルのビットレートのストリームを、より低いビットレートのストリームにトランスコードすることができる。これにより、信号処理部１１３は、より容量の少ない状態でコンテンツを録画させることができる。
【００２６】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００２７】
映像処理部１３１は、信号処理部１１３から受信したディジタル映像信号を、ディスプレイ１３４で再生可能なフォーマットの映像信号に変換する。即ち、映像処理部１３１は、信号処理部１１３から受信したディジタル映像信号を、ディスプレイ１３４で再生可能なフォーマットの映像信号にデコード（再生）する。映像処理部１３１は、映像信号を表示処理部１３３に出力する。
【００２８】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００２９】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００３０】
なお、映像処理装置１００は、ディスプレイ１３４の代わりに、映像信号を出力する出力端子を備える構成であってもよい。また、映像処理装置１００は、スピーカ１２２の代わりに、オーディオ信号を出力する出力端子を備える構成であってもよい。また、映像処理装置１００は、ディジタル映像信号とディジタル音声信号とを出力する出力端子を備える構成であってもよい。
【００３１】
制御部１５０は、映像処理装置１００の各部の動作を制御する制御手段として機能する。制御部１５０は、ＣＰＵ１５１、ＲＯＭ１５２、ＲＡＭ１５３、及びＥＥＰＲＯＭ（不揮発性メモリ）１５４などを備えている。制御部１５０は、操作入力部１６１から供給される操作信号に基づいて、種々の処理を行う。
【００３２】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００３３】
ＲＯＭ１５２は、映像処理装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３４】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３５】
ＥＥＰＲＯＭ１５４は、各種の設定情報、及びプログラムなどを記憶する不揮発性メモリである。
【００３６】
ストレージ１６０は、コンテンツを記憶する記憶媒体を有する。例えば、ストレージ１６０は、ハードディスクドライブ（ＨＤＤ）、ソリッドステイトドライブ（ＳＳＤ）、または半導体メモリなどにより構成される。ストレージ１６０は、信号処理部１１３から供給された録画ストリームを記憶することができる。
【００３７】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。
【００３８】
なお、タッチパッドは、静電容量式センサ、サーモセンサ、または他の方式に基づいて位置情報を生成するデバイスを含む。また、映像処理装置１００がディスプレイ１３４を備える場合、操作入力部１６１は、ディスプレイ１３４と一体に形成されるタッチパネルなどを備える構成であってもよい。
【００３９】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてＡ／Ｄ変換を行うことにより、リモコン１６３から送信された元の操作信号を復号する。
【００４０】
リモートコントローラ１６３は、種々の操作キーを有する。リモートコントローラ１６３は、それぞれのキーの操作に応じて操作信号を生成し、生成した操作信号を出力する。即ち、リモートコントローラ１６３は、ユーザの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００４１】
リモートコントローラ１６３は、映像処理装置１００に選局、文字列の入力などを行わせる為の数字キーを備える。また、リモートコントローラ１６３は、映像処理装置１００に種々の処理を行わせるためのカーソルキーを備える。カーソルキーは、例えば、十字キー、決定キー、番組表キー、録画リストキー、戻るキー、終了キーなどを備える。映像処理装置１００は、十字キー及び決定キーに応じた操作信号に基づいて、画面上で種々の項目の選択などを行う。
【００４２】
ＬＡＮインターフェース１７１は、ＬＡＮまたは無線ＬＡＮにより無線通信端末３００経由でネットワーク４００上の他の機器と通信を行なうことができる。これにより、映像処理装置１００は、無線通信端末３００に接続されている他の機器と通信することができる。例えば、映像処理装置１００は、ＬＡＮインターフェース１７１によりネットワーク４００上の機器に記録されているストリームを取得し、再生することができる。
【００４３】
有線通信部１７３は、ＨＤＭＩ及びＭＨＬなどの規格に基づいて通信を行うインターフェースである。有線通信部１７３は、ＨＤＭＩケーブル及びＭＨＬケーブルを接続することができる図示されない複数のＨＤＭＩ端子と、ＨＤＭＩ規格に基づいて信号処理を行うＨＤＭＩ処理部１７４と、ＭＨＬ規格に基づいて信号処理を行うＭＨＬ処理部１７５とを備える。
【００４４】
なお、ＭＨＬケーブルの映像処理装置１００に接続される側の端子は、ＨＤＭＩケーブルと互換性のある構造を備えている。なお、ＭＨＬケーブルは、通信に用いられない端子（検知用端子）間に抵抗が接続されている。有線通信部１７３は、検知用端子に電圧を印加することにより、ＨＤＭＩ端子にＭＨＬケーブルが接続されているかＨＤＭＩケーブルが接続されているかを認識することができる。
【００４５】
映像処理装置１００は、有線通信部１７３のＨＤＭＩ端子に接続された機器（ソース機器）から出力されたストリームを受信し、再生することができる。また、映像処理装置１００は、有線通信部１７３のＨＤＭＩ端子に接続された機器（シンク機器）に対してストリームを出力することができる。
【００４６】
制御部１５０は、有線通信部１７３により受信したストリームを信号処理部１１３に入力させる。信号処理部１１３は、受信したストリームからディジタル映像信号、及びディジタル音声信号などを分離する。信号処理部１１３は、分離したディジタル映像信号を映像処理部１３１に送信し、分離したディジタル音声信号を音声処理部１２１に送信する。これにより、映像処理装置１００は、有線通信部１７３により受け取ったストリームを再生することができる。
【００４７】
また、映像処理装置１００は、図示しない電源部を備える。電源部は、ＡＣアダプタなどを介して商用電源などから電力を受け取る。電源部は、受け取った交流の電力を直流に変換し、映像処理装置１００内の各部へ供給する。
【００４８】
図３は、一実施形態に係る携帯端末２００の例を示す。  
携帯端末２００は、制御部２５０、操作入力部２６４、通信部２７１、ＭＨＬ処理部２７３、及び記憶装置２７４を備える。さらに、携帯端末２００は、スピーカ２２２、マイク２２３、ディスプレイ２３４、タッチセンサ２３５を備える。
【００４９】
制御部２５０は、携帯端末２００の各部の動作を制御する制御部として機能する。制御部２５０は、ＣＰＵ２５１、ＲＯＭ２５２、ＲＡＭ２５３、及び不揮発性メモリ２５４などを備えている。制御部２５０は、操作入力部２６４、またはタッチセンサ２３５から供給される操作信号に基づいて、種々の処理を行う。
【００５０】
ＣＰＵ２５１は、種々の演算処理を実行する演算素子などを備える。ＣＰＵ２５１は、ＲＯＭ２５２、または不揮発性メモリ２５４などに記憶されているプログラムを実行することにより種々の機能を実現する。
【００５１】
ＲＯＭ２５２は、携帯端末２００を制御する為のプログラム、及び各種の機能を実現する為のプログラムなどを記憶する。ＣＰＵ２５１は、操作入力部２６４から供給される操作信号に基づいて、ＲＯＭ２５２に記憶されているプログラムを起動する。これにより、制御部２５０は、各部の動作を制御する。
【００５２】
ＲＡＭ２５３は、ＣＰＵ２５１のワークメモリとして機能する。即ち、ＲＡＭ２５３は、ＣＰＵ２５１の演算結果、ＣＰＵ２５１により読み込まれたデータなどを記憶する。
【００５３】
不揮発性メモリ２５４は、各種の設定情報、及びプログラムなどを記憶する不揮発性メモリである。
【００５４】
また、ＣＰＵ２５１は、記憶装置２７４に格納されているアプリケーションなどのデータに基づいて、種々の処理を実行することができる。
【００５５】
また、制御部２５０は、ＣＰＵ２５１が実行しているアプリケーションに応じて、種々の画面などの表示用の映像信号を生成し、ディスプレイ２３４に表示させることができる。また、制御部２５０は、ＣＰＵ２５１が実行しているアプリケーションに応じて、種々の音声などの再生用の音声信号を生成し、スピーカ２２２により出力させることができる。
【００５６】
スピーカ２２２は、供給されるオーディオ信号に基づいて音を再生する。
【００５７】
マイク２２３は、携帯端末２００の外部の音に基づいて信号（録音信号）を生成する集音部である。マイク２２３は、録音信号を制御部２５０に供給する。
【００５８】
ディスプレイ２３４は、例えば、マトリクス状に配列された複数の画素を備える液晶表示パネルと、この液晶パネルを照明するバックライトとを備える液晶表示装置などを備える。ディスプレイ２３４は、映像信号に基づいて映像を表示する。
【００５９】
タッチセンサ２３５は、静電容量式センサ、サーモセンサ、または他の方式に基づいて位置情報を生成するデバイスである。例えば、タッチセンサ２３５は、ディスプレイ２３４と一体に設けられる。これにより、タッチセンサ２３５は、ディスプレイ２３４に表示されている画面上での操作に基づいて操作信号を生成し、制御部２５０に供給することができる。
【００６０】
操作入力部２６４は、例えば、ユーザによる操作入力に応じて操作信号を生成するキーを備える。操作入力部２６４は、例えば、音量を調整する為の音量調整キー、ディスプレイ２３４の表示輝度を調整する為の輝度調整キー、及び、携帯端末２００電源状態を切り替える為の電源キーなどを備える。また、操作入力部２６４は、種々の選択操作などを携帯端末２００に実行させる為のトラックボールなどをさらに備えていてもよい。操作入力部２６４は、上記したキーの操作に応じて操作信号を生成し、操作信号を制御部２５０に供給する。
【００６１】
また、操作入力部２６４は、キーボード、マウス、または操作信号を生成する事ができる他の入力装置などから操作信号を受け取る構成であってもよい。例えば、携帯端末２００がＵＳＢ端子、またはＢｌｕｅｔｏｏｔｈ（登録商標）のモジュールなどを備えている場合、操作入力部２６４は、ＵＳＢ、またはＢｌｕｅｔｏｏｔｈにより接続された入力装置から操作信号を受け取り、制御部２５０に供給する。
【００６２】
通信部２７１は、ＬＡＮまたは無線ＬＡＮにより無線通信端末３００経由でネットワーク４００上の他の機器と通信を行なうことができる。また、通信部２７１は、携帯電話網経由でネットワーク４００上の他の機器と通信を行なうことができる。これにより、携帯端末２００は、無線通信端末３００に接続されている他の機器と通信することができる。例えば、携帯端末２００は、通信部２７１によりネットワーク４００上の機器に記録されている動画、写真、音楽データ、及びＷＥＢコンテンツなどを取得し、再生することができる。
【００６３】
ＭＨＬ処理部２７３は、ＭＨＬ規格に基づいて通信を行うインターフェースである。ＭＨＬ処理部２７３は、ＭＨＬ規格に基づいて信号処理を行う。また、ＭＨＬ処理部２７３は、ＭＨＬケーブルを接続することができる図示されないＵＳＢ端子を有する。
【００６４】
携帯端末２００は、ＭＨＬ処理部２７３のＵＳＢ端子に接続された機器（ソース機器）から出力されたストリームを受信し、再生することができる。また、携帯端末２００は、ＭＨＬ処理部２７３のＵＳＢ端子に接続された機器（シンク機器）に対してストリームを出力することができる。
【００６５】
またさらに、ＭＨＬ処理部２７３は、表示用映像信号及び再生用音声信号を重畳し、ストリームを生成することができる。即ち、ＭＨＬ処理部２７３は、ディスプレイ２３４に表示させる映像及びスピーカ２２２から出力させる音声を含むストリームを生成することができる。
【００６６】
例えば、ＭＨＬ処理部２７３のＵＳＢ端子にＭＨＬケーブルが接続されており、ソース機器として動作する場合、制御部２５０は、表示用映像信号及び再生用音声信号をＭＨＬ処理部２７３に供給する。ＭＨＬ処理部２７３は、表示用映像信号及び再生用音声信号を用いて種々のフォーマット（例えば１０８０ｉ，６０Ｈｚ）のストリームを生成することができる。即ち、携帯端末２００は、ディスプレイ２３４に表示させる表示画面及びスピーカ２２２から再生される音声をストリームに変換することができる。制御部２５０は、生成したストリームをＵＳＢ端子に接続されたシンク機器に対して出力することができる。
【００６７】
また、携帯端末２００は、図示しない電源部を備える。電源部は、バッテリーと、商用電源などから電力を受け取るアダプタと接続する為の端子（例えばＤＣジャック）と、を備える。電源部は、商用電源から受け取った電力をバッテリーに充電する。また、電源部は、バッテリーに充電されている電力を携帯端末２００内の各部へ供給する。
【００６８】
記憶装置２７４は、ハードディスクドライブ（ＨＤＤ）、ソリッドステイトドライブ（ＳＳＤ）、または半導体メモリなどを備える。記憶装置２７４は、制御部２５０のＣＰＵ２５１により実行されるプログラム、アプリケーション、動画などのコンテンツ、及び種々のデータなどを記憶することができる。
【００６９】
図４は、ＭＨＬ規格に基づいた通信の例を示す。なお、この実施形態では、携帯端末２００がソース機器であり、映像処理装置１００がシンク機器であるとして説明する。
【００７０】
携帯端末２００のＭＨＬ処理部２７３は、トランスミッタ２７６と図示されないレシーバとを有する。また、映像処理装置１００のＭＨＬ処理部１７５は、図示されないトランスミッタとレシーバ１７６とを有する。
【００７１】
トランスミッタ２７６とレシーバ１７６とは、ＭＨＬケーブルにより接続される。ＭＨＬケーブルは、ＶＢＵＳ、ＧＮＤ、ＣＢＵＳ、ＭＨＬ＋、及びＭＨＬ−などのラインを有する。
【００７２】
ＶＢＵＳは、電力を伝送する為のラインである。例えば、シンク機器は、ＶＢＵＳによりソース機器に＋５Ｖの電力を供給する。ソース機器は、シンク機器からＶＢＵＳにより供給された電力により動作することができる。例えば、ソース機器である携帯端末２００の電源部は、シンク機器からＶＢＵＳにより供給された電力をバッテリーに充電することができる。ＧＮＤは、接地されたラインである。
【００７３】
ＣＢＵＳは、例えばコマンドなどの制御信号を伝送する為のラインである。ＣＢＵＳは、例えば、ＤＤＣ（Display Data Channel）コマンドまたはＭＳＣ（MHL Sideband channel）コマンドなどを双方向で伝送するために使用される。ＤＤＣコマンドは、ＥＤＩＤ（Extended Display Identification Data）の読み出し、及びＨＤＣＰ（High-bandwidth Digital Content Protection）認証などに使用される。ＥＤＩＤは、ディスプレイなどのスペックに応じて予め設定されたディスプレイ情報のリストである。また、ＭＳＣコマンドは、図示されない各種レジスタのリードライト及びリモコン制御等に使用される。
【００７４】
例えば、シンク機器である映像処理装置１００は、ＣＢＵＳによりコマンドをソース機器である携帯端末２００に対して出力する。携帯端末２００は、受信したコマンドに応じて種々の処理を実行することができる。
【００７５】
ソース機器は、シンク機器に対してＤＤＣコマンドを送信することにより、シンク機器とＨＤＣＰ認証を行い、シンク機器からＥＤＩＤを読み出すことができる。
【００７６】
ＨＤＣＰは、機器間で伝送される信号を暗号化する方式である。映像処理装置１００及び携帯端末２００は、ＨＤＣＰに準拠した手順で鍵などの送受信を行い、相互認証を行う。互いに認証された場合、映像処理装置１００及び携帯端末２００は、互いに暗号化された信号をやりとりすることができる。携帯端末２００は、映像処理装置１００とのＨＤＣＰ認証の途中で、ＥＤＩＤを映像処理装置１００から読み取る。
【００７７】
なお、携帯端末２００は、ＨＤＣＰ認証の最中ではなく、別のタイミングでＥＤＩＤを映像処理装置１００から取得する構成であってもよい。
【００７８】
また、携帯端末２００は、映像処理装置１００から取得したＥＤＩＤを解析し、映像処理装置１００により処理が可能な解像度、色深度、及び伝送周波数などのフォーマットを示すディスプレイ情報を認識する。携帯端末２００は、映像処理装置１００が処理可能な解像度、色深度、及び伝送周波数などのフォーマットでストリームを生成する。
【００７９】
ＭＨＬ＋及びＭＨＬ−は、データを伝送する為のラインである。ＭＨＬ＋及びＭＨＬ−は、２つのラインで１対のツイストペアとして機能する。例えば、ＭＨＬ＋及びＭＨＬ−は、ＴＭＤＳ（Transition Minimized Differential Signaling）方式でデータを伝送するＴＭＤＳ  ｃｈａｎｎｅｌとして機能する。また、ＭＨＬ＋及びＭＨＬ−は、ＴＭＤＳ方式での同期信号（ＭＨＬクロック）を伝送することができる。
【００８０】
例えば、ソース機器は、ＴＭＤＳ  ｃｈａｎｎｅｌによりストリームをシンク機器に対して出力することができる。即ち、ソース機器として機能するする携帯端末２００は、ディスプレイ２３４に表示される映像（表示画面）及びスピーカ２２２から出力される音声が変換されたストリームをシンク機器である映像処理装置１００に伝送することができる。映像処理装置１００は、ＴＭＤＳ  ｃｈａｎｎｅｌにより送信されたストリームを受け取り、受け取ったストリームに対して信号処理を施し、再生する。
【００８１】
また、映像処理装置１００は、不揮発性メモリ１５４に記憶されているプログラムまたはアプリケーションを実行することにより、ネットワーク上の種々の情報をユーザに閲覧させる為のブラウザを起動することができる。映像処理装置１００は、操作信号に応じて、ブラウザ上の種々の処理を実現することができる。例えば、映像処理装置１００は、操作信号に応じて、ブラウザ上の項目の選択、及び文字入力欄の選択などを行うことができる。
【００８２】
また、映像処理装置１００は、不揮発性メモリ１５４に記憶されているプログラムまたはアプリケーションを実行することにより、画面上で文字をユーザに選択させることにより文字列を生成することができるソフトウェアキーボード（文字入力機能）を起動することができる。映像処理装置１００は、操作信号に応じて、ソフトウェアキーボード上の文字に対応したボタンなどをユーザに選択させる。映像処理装置１００は、選択されたボタンに応じて文字列を生成することができる。
【００８３】
映像処理装置１００は、操作に応じてブラウザを起動した場合、リモートコントローラ１６３のカーソルキーによる操作に応じてブラウザ上の項目を選択する。また、映像処理装置１００は、カーソルキーによる操作によりブラウザ上の文字入力欄が選択された場合、ソフトウェアキーボードを起動する。映像処理装置１００は、ソフトウェアキーボード起動中の数字キーによる操作により、文字列を生成することができる。映像処理装置１００は、生成した文字列をＭＨＬケーブルを介して携帯端末２００に出力することができる。
【００８４】
また、携帯端末２００の記憶装置２７４または不揮発性メモリ２５４は、例えば、オペレーティングシステム（ＯＳ）、及びＯＳ上で実行可能な種々のアプリケーションを記憶している。記憶装置２７４または不揮発性メモリ２５４は、例えば、ブラウジングアプリケーション（ブラウザアプリ）、及び文字入力アプリケーション（文字入力アプリ）などを有する。
【００８５】
ブラウザアプリは、インターネットを閲覧する為のブラウザである。文字入力アプリは、タッチセンサ２３５による文字入力を容易にする為のプログラム（文字入力機能）である。
【００８６】
携帯端末２００は、記憶装置２７４または不揮発性メモリ２５４に記憶されているブラウザアプリを実行することにより、ネットワーク上の種々の情報をユーザに閲覧させる為のブラウザを起動することができる。携帯端末２００は、操作信号に応じて、ブラウザ上の種々の処理を実現することができる。例えば、携帯端末２００は、操作信号に応じて、ブラウザ上の項目の選択、及び文字入力欄の選択などを行うことができる。
【００８７】
また、携帯端末２００は、記憶装置２７４または不揮発性メモリ２５４に記憶されている第２の文字入力アプリを実行することにより、画面上で文字をユーザに選択させることにより文字列を生成することができるソフトウェアキーボードを起動することができる。携帯端末２００は、操作信号に応じて、ソフトウェアキーボード上の文字に対応したボタンなどをユーザに選択させる。携帯端末２００は、選択されたボタンに応じて文字列を生成することができる。携帯端末２００は、生成した文字列を文字入力欄に入力する。また、携帯端末２００は、ＭＨＬケーブルを介して映像処理装置１００から出力された文字列を受信することができる。携帯端末２００は、受信した文字列を文字入力欄に入力する。
【００８８】
これにより、携帯端末２００は、文字入力欄に入力された文字列をキーワードとしてネットワーク４００上からデータを取得することができる。携帯端末２００は、取得したデータをディスプレイ２３４に表示させることができる。
【００８９】
さらに、映像処理装置１００は、リモートコントローラ１６３または操作入力部１６１などにより生成された操作信号に基づいて、ＭＨＬケーブルにより接続された携帯端末を制御する為の制御信号を生成してもよい。この場合、映像処理装置１００は、ＭＨＬケーブルのＣＢＵＳを介して制御信号を携帯端末２００に送信する。これにより、映像処理装置１００は、携帯端末２００のブラウザアプリの動作を制御することができる。
【００９０】
なお、以下、映像処理装置１００の文字入力機能を第１の文字入力機能と称し、携帯端末の文字入力機能を第２の文字入力機能と称して説明する。
【００９１】
図５は、送受信システム１の動作の例を示す。なお、図５は、携帯端末２００上でブラウザが起動している場合の動作の例を示す。また、図６は、ＭＨＬケーブルにより映像が携帯端末２００から映像処理装置１００に出力されている場合の表示例を示す。  
映像処理装置１００は、リモートコントローラ１６３から送信された操作信号を受信する（ブロックＢ１１）。映像処理装置１００は、受信した操作信号を用いて制御信号を生成する。映像処理装置１００は、生成した制御信号をＭＨＬケーブルを介して携帯端末２００に送信する（ブロックＢ１２）。
【００９２】
携帯端末２００は、ＭＨＬケーブルを介して映像処理装置１００から出力された制御信号を受信する（ブロックＢ２１）。携帯端末２００は、受信した制御信号に従って動作することにより、ブラウザ上で動作を実行する。また、携帯端末２００は、タッチセンサ２３５または操作入力部２６４により生成された操作信号に従って、ブラウザ上での動作を実行する。即ち、携帯端末２００は、映像処理装置１００から出力された制御信号、または携帯端末２００の操作手段により生成された操作信号に基づいてブラウザを動作させる。
【００９３】
例えば、図６に示されるように、携帯端末２００は、文字入力欄６０１を含む画面をディスプレイ２３４に表示させる。また、携帯端末２００は、ＭＨＬケーブルを介してストリームを映像処理装置１００に出力する。これにより、映像処理装置１００は、携帯端末２００での表示画面をディスプレイ１３４に表示させることができる。即ち、映像処理装置１００は、文字入力欄６０１を含む画面をディスプレイ１３４に表示させることができる。
【００９４】
さらに、携帯端末２００は、携帯端末２００のブラウザ上で文字入力欄が選択されたことを検知することができる。携帯端末２００は、ブラウザ上で文字入力欄が選択されたことを検知した場合、文字入力欄を選択した動作が映像処理装置１００から出力された制御信号によるものか、携帯端末２００の操作手段により生成された操作信号によるものかを判定する（ブロックＢ２２）。
【００９５】
携帯端末２００は、文字入力欄を選択した動作が映像処理装置１００から出力された制御信号によるものであると判定した場合、文字入力欄が選択されたことを示す情報を生成し、ＭＨＬケーブルを介して映像処理装置１００に送信する（ブロックＢ２３）。
【００９６】
映像処理装置１００は、文字入力欄が選択されたことを示す情報を受信する（ブロックＢ１３）。映像処理装置１００は、文字入力欄が選択されたことを示す情報を受信した場合、第１の文字入力機能を起動する（ブロックＢ１４）。
【００９７】
例えば、映像処理装置１００は、第１の文字入力機能を起動した場合、文字を入力する為のウィンドウ６０２をディスプレイ１３４に表示させる。この場合、映像処理装置１００は、携帯端末２００から出力されたストリームにウィンドウ６０２を重畳させて表示させる。
【００９８】
ウィンドウ６０２は、表示領域６０３、文字ボタン６０４、及び確定ボタン６０５を含む。表示領域６０３は、文字ボタン６０４により入力された文字列が表示される欄である。
【００９９】
文字ボタン６０４は、リモートコントローラ１６３の数字キーなどに対応するボタンが複数配置されたボタン郡である。即ち、文字ボタン６０４は、文字とリモートコントローラ１６３の数字キーとを対応付ける入力インターフェースである。映像処理装置１００の制御部１５０は、文字ボタン６０４に対する操作に応じて、文字列を生成する。制御部１５０は、生成した文字列を表示領域６０３に表示させる。
【０１００】
確定ボタン６０５は、表示領域６０３に表示されている文字列を確定する為のボタンである。
【０１０１】
映像処理装置１００は、ウィンドウ６０２表示中のリモートコントローラ１６３の数字キーの操作に基づいて、文字列を生成することができる（ブロックＢ１５）。
【０１０２】
映像処理装置１００は、文字列の生成を文字列が確定されるまで実行する（ブロックＢ１６）。例えば、映像処理装置１００は、確定ボタン６０５の操作に応じて文字列を確定させる。なお、映像処理装置１００は、リモートコントローラ１６３のカーソルキー及び決定キーなどの操作に基づいて、確定ボタン６０５を選択することができる。
【０１０３】
映像処理装置１００は、確定ボタン６０５が選択された場合、表示領域６０３に表示されている文字列をＭＨＬケーブルを介して携帯端末２００に送信する（ブロックＢ１７）。
【０１０４】
携帯端末２００は、映像処理装置１００から出力された文字列を受信する（ブロックＢ２４）。この場合、携帯端末２００は、受信した文字列を表示画面中の文字入力欄６０１に表示させる。
【０１０５】
さらに、携帯端末２００は、表示画面の文字入力欄６０１に表示されている文字列をキーワードとしてネットワーク４００上で検索を実行する（ブロックＢ２５）。この結果、携帯端末２００は、ネットワーク４００上からデータを取得することができる（ブロックＢ２６）。携帯端末２００は、取得したデータをディスプレイ２３４に表示させる（ブロックＢ２７）。これにより、携帯端末２００は、映像処理装置１００から出力された文字列に基づいてネットワーク４００上から取得したデータを映像処理装置１００のディスプレイ１３４にも表示させることができる。
【０１０６】
また、ブロックＢ２２で、文字入力欄を選択した動作が携帯端末２００の操作手段により生成された操作信号によるものであると判定した場合、携帯端末２００の制御部２５０は、第２の文字入力機能を起動する（ブロックＢ２８）。
【０１０７】
携帯端末２００は、第２の文字入力機能を起動した場合、文字を入力する為のウィンドウをディスプレイ２３４に表示させる。この場合、携帯端末２００は、第２の文字入力アプリの起動中の操作に応じて、文字列を生成する（ブロックＢ２９）。
【０１０８】
さらに、携帯端末２００は、ブロックＢ２９で生成した文字列をキーワードとしてネットワーク４００上で検索を実行する（ブロックＢ３０）。この結果、携帯端末２００は、ネットワーク４００上からデータを取得することができる（ブロックＢ２６）。携帯端末２００は、取得したデータをディスプレイ２３４に表示させる（ブロックＢ２７）。これにより、携帯端末２００は、映像処理装置１００から出力された文字列に基づいてネットワーク４００上から取得したデータを映像処理装置１００のディスプレイ１３４にも表示させることができる。
【０１０９】
上記したように、携帯端末２００は、シンク機器である映像処理装置１００から送信された信号に基づいて携帯端末２００のアプリケーション内の文字入力欄が選択された場合、文字入力欄が選択されたことを映像処理装置１００に通知する。この場合、映像処理装置１００は、自身の第１の文字入力機能を実行し、文字列を生成し、生成した文字列を携帯端末２００に送信する。
【０１１０】
これにより、携帯端末２００は、シンク機器の操作によって文字入力欄が選択された場合、シンク機器により操作が可能な第１の文字入力機能をシンク機器に実行させることができる。即ち、シンク機器である映像処理装置１００は、ソース機器である携帯端末２００の文字入力機能を制御することができる。この結果、より高い利便性を有する受信装置、送信装置、及び送受信システムを提供することができる。
【０１１１】
なお、携帯端末２００は、映像処理装置１００側の第１の文字入力機能により生成された文字列を用いるのではなく、携帯端末２００側の第２の文字入力機能を映像処理装置１００に制御させる構成であってもよい。
【０１１２】
図７は、送受信システム１の動作の他の例を示す。なお、図７は、携帯端末２００上でブラウザが起動している場合の動作の例を示す。また、図８は、ＭＨＬケーブルにより映像が携帯端末２００から映像処理装置１００に出力されている場合の表示例を示す。
【０１１３】
映像処理装置１００は、リモートコントローラ１６３から送信された操作信号を受信する（ブロックＢ４１）。映像処理装置１００は、受信した操作信号を用いて制御信号を生成する。映像処理装置１００は、生成した制御信号をＭＨＬケーブルを介して携帯端末２００に送信する（ブロックＢ４２）。
【０１１４】
携帯端末２００は、ＭＨＬケーブルを介して映像処理装置１００から出力された制御信号を受信する（ブロックＢ５１）。携帯端末２００は、受信した制御信号に従って動作することにより、ブラウザ上で動作を実行する。また、携帯端末２００は、タッチセンサ２３５または操作入力部２６４により生成された操作信号に従って、ブラウザ上での動作を実行する。即ち、携帯端末２００は、映像処理装置１００から出力された制御信号、または携帯端末２００の操作手段により生成された操作信号に基づいてブラウザを動作させる。
【０１１５】
例えば、図８に示されるように、携帯端末２００は、文字入力欄８０１を含む画面をディスプレイ２３４に表示させる。また、携帯端末２００は、ＭＨＬケーブルを介してストリームを映像処理装置１００に出力する。これにより、映像処理装置１００は、携帯端末２００での表示画面をディスプレイ１３４に表示させることができる。即ち、映像処理装置１００は、文字入力欄８０１を含む画面をディスプレイ１３４に表示させることができる。
【０１１６】
さらに、携帯端末２００は、携帯端末２００のブラウザ上で文字入力欄が選択されたことを検知することができる。携帯端末２００は、ブラウザ上で文字入力欄が選択されたことを検知した場合、文字入力欄を選択した動作が映像処理装置１００から出力された制御信号によるものか、携帯端末２００の操作手段により生成された操作信号によるものかを判定する（ブロックＢ５２）。
【０１１７】
携帯端末２００は、文字入力欄を選択した動作が映像処理装置１００から出力された制御信号によるものであると判定した場合、第２の文字入力機能を起動する（ブロックＢ５３）。即ち、携帯端末２００は、第２の文字入力機能を起動した場合、文字を入力する為のウィンドウ８０２をディスプレイ１３４に表示させる（ブロックＢ５３）。
【０１１８】
ウィンドウ８０２は、シンク機器である映像処理装置１００から送信された信号に基づいて文字列を生成する為の入力インターフェースである。携帯端末２００は、記憶装置２７４、または不揮発性メモリ２５４に複数の種類の文字入力用の画面を保持している。
【０１１９】
携帯端末２００は、ＭＨＬケーブルにより接続されている映像処理装置１００の種類、及び仕様などに基づいて、記憶装置２７４または不揮発性メモリ２５４から文字入力用の画面を読み出す。携帯端末２００は、読み出した文字入力画面を用いて、ウィンドウ８０２を生成する。即ち、携帯端末２００は、ＭＨＬケーブルにより接続されている映像処理装置１００に応じたウィンドウ８０２をディスプレイ２３４及び映像処理装置１００のディスプレイ１３４に表示させることができる。
【０１２０】
ウィンドウ８０２は、表示領域８０３、文字ボタン８０４、及び確定ボタン８０５を含む。表示領域８０３は、文字ボタン８０４により入力された文字列が表示される欄である。
【０１２１】
文字ボタン８０４は、映像処理装置１００のリモートコントローラ１６３の数字キーなどに対応するボタンが複数配置されたボタン郡である。即ち、文字ボタン８０４は、文字とリモートコントローラ１６３の数字キーとを対応付ける入力インターフェースである。
【０１２２】
映像処理装置１００は、リモートコントローラ１６３から送信された操作信号を受信する（ブロックＢ４３）。映像処理装置１００は、受信した操作信号を用いて携帯端末２００に送信する制御信号を生成する。映像処理装置１００は、生成した制御信号をＭＨＬケーブルを介して携帯端末２００に送信する（ブロックＢ４４）。即ち、映像処理装置１００は、リモートコントローラ１６３により１つの入力毎に制御信号を生成し、携帯端末２００に送信する。
【０１２３】
携帯端末２００は、映像処理装置１００から出力された制御信号を受信する（ブロックＢ５４）。この場合、携帯端末２００は、受信した制御信号に基づいて文字列を生成する（ブロックＢ５５）。携帯端末２００は、生成した文字列を表示画面中の文字入力欄８０１に表示させる。これにより、携帯端末２００は、映像処理装置１００のディスプレイ１３４に表示されている文字入力欄に逐次文字列を表示させることができる。
【０１２４】
確定ボタン８０５は、表示領域８０３に表示されている文字列を確定する為のボタンである。
【０１２５】
例えば、映像処理装置１００から確定ボタン８０５を選択する制御信号を受け取った場合、携帯端末２００の制御部２５０は、確定ボタン８０５が選択されたと判断する。この場合、携帯端末２００は、表示領域８０３に表示されている文字列を確定させる。即ち、携帯端末２００は、表示領域８０３に表示されている文字列を文字入力欄８０１に入力する。なお、映像処理装置１００は、リモートコントローラ１６３のカーソルキー及び決定キーなどの操作に基づいて、確定ボタン８０５を選択させる制御信号を生成することができる。
【０１２６】
上記したように、映像処理装置１００から確定ボタン８０５を選択する制御信号を受け取った場合、携帯端末２００は、表示画面の文字入力欄８０１に表示されている文字列をキーワードとしてネットワーク４００上で検索を実行する（ブロックＢ５６）。この結果、携帯端末２００は、ネットワーク４００上からデータを取得することができる（ブロックＢ５７）。携帯端末２００は、取得したデータをディスプレイ２３４に表示させることができる（ブロックＢ５８）。これにより、携帯端末２００は、映像処理装置１００の操作により生成された文字列に基づいてネットワーク４００上から取得したデータを映像処理装置１００のディスプレイ１３４にも表示させることができる。
【０１２７】
また、ブロックＢ５２で、文字入力欄を選択した動作が携帯端末２００の操作手段により生成された操作信号によるものであると判定した場合、携帯端末２００の制御部２５０は、第２の文字入力機能を起動する（ブロックＢ５９）。
【０１２８】
携帯端末２００は、第２の文字入力機能を起動した場合、文字を入力する為のウィンドウをディスプレイ２３４に表示させる。この場合、携帯端末２００は、第２の文字入力アプリの起動中の操作に応じて、文字列を生成する（ブロックＢ６０）。
【０１２９】
さらに、携帯端末２００は、ブロックＢ６０で生成した文字列をキーワードとしてネットワーク４００上で検索を実行する（ブロックＢ５６）。この結果、携帯端末２００は、ネットワーク４００上からデータを取得することができる（ブロックＢ５７）。携帯端末２００は、取得したデータをディスプレイ２３４に表示させることができる（ブロックＢ５８）。これにより、携帯端末２００は、映像処理装置１００の操作により生成された文字列に基づいてネットワーク４００上から取得したデータを映像処理装置１００のディスプレイ１３４にも表示させることができる。
【０１３０】
上記したように、携帯端末２００は、シンク機器である映像処理装置１００から送信された信号に基づいて携帯端末２００のアプリケーション内の文字入力欄が選択された場合、第２の文字入力機能を起動する。さらに、携帯端末２００は、映像処理装置１００から供給された信号に基づいて文字列を逐次生成する。
【０１３１】
これにより、携帯端末２００は、シンク機器の操作によって文字入力欄が選択された場合、第２の文字入力機能をシンク機器により制御させることができる。この結果、より高い利便性を有する受信装置、送信装置、及び送受信システムを提供することができる。
【０１３２】
なお、上記の実施形態では、映像処理装置１００が第１の文字入力機能を備える構成であると説明したが、この構成に限定されない。映像処理装置１００は、第１の文字入力機能を備えていなくてもよい。この場合、携帯端末２００は、映像処理装置１００が第１の文字入力機能を備えているか否か判断し、判断した結果に応じて処理を切り替える。
【０１３３】
例えば、携帯端末２００は、映像処理装置１００が第１の文字入力機能を備えていると判断した場合、図５のブロックＢ２３乃至Ｂ２５の処理を行う。また、携帯端末２００は、映像処理装置１００に図５のブロックＢ１３乃至Ｂ１７の処理を実行させる。
【０１３４】
また、例えば、携帯端末２００は、映像処理装置１００が第１の文字入力機能を備えていないと判断した場合、図７のブロックＢ５３乃至Ｂ５５の処理を行う。また、携帯端末２００は、映像処理装置１００に図７のブロックＢ４３乃至Ｂ４４の処理を実行させる。
【０１３５】
これにより、携帯端末２００は、映像処理装置１００が第１の文字入力機能を備えているか否かに応じて適した文字の入力方法を切り替える事ができる。
【０１３６】
またさらに、携帯端末２００は、予め設定された設定に基づいて、文字の入力方法を切り替える構成であってもよい。即ち、携帯端末２００は、予め図５の処理と図７の処理のどちらを実行するかが設定されていてもよい。
【０１３７】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１３９】
１…送受信システム、１００…映像処理装置、１０１…アンテナ、１１１…チューナ、１１２…復調部、１１３…信号処理部、１２１…音声処理部、１２２…スピーカ、１３１…映像処理部、１３３…表示処理部、１３４…ディスプレイ、１５０…制御部、１５１…ＣＰＵ、１５２…ＲＯＭ、１５３…ＲＡＭ、１５４…ＥＥＰＲＯＭ、１６０…ストレージ、１６１…操作入力部、１６２…受光部、１６３…リモートコントローラ、１７１…ＬＡＮインターフェース、１７３…有線通信部、１７４…ＨＤＭＩ処理部、１７５…ＭＨＬ処理部、２００…携帯端末、２２２…スピーカ、２２３…マイク、２３４…ディスプレイ、２３５…タッチセンサ、２５０…制御部、２５１…ＣＰＵ、２５２…ＲＯＭ、２５３…ＲＡＭ、２５４…不揮発性メモリ、２６４…操作入力部、２７１…通信部、２７３…ＭＨＬ処理部、２７４…記憶装置、３００…無線通信端末、４００…ネットワーク。
【図１】
2015029209.tif 000003
【図２】
2015029209.tif 000004
【図３】
2015029209.tif 000005
【図４】
2015029209.tif 000006
【図５】
2015029209.tif 000007
【図６】
2015029209.tif 000008
【図７】
2015029209.tif 000009
【図８】
2015029209.tif 000010